(57)【要約】      （修正有）【課題】低体重児が脚を動かしやすく吸収性コアのフィット性を向上させた低体重児用の使い捨ておむつを提供する。【解決手段】長手方向の中央部において幅狭部を有する吸収性コア２を備える低体重児用の使い捨ておむつ１であって、二つ折りされているおむつ１を、長手方向に展開かつ伸長した状態で、肌側面を下にして台の上面に押しつけた後に、板及びおもりを載せた後、自然状態にしたとき、吸収性コア２は、上面に沿う第１領域Ｓ１と、上面から上方に離間している第２領域Ｓ２とを有し、第１領域Ｓ１と第２領域Ｓ２との境界となる別の折り線ＦＬａが形成されている。【選択図】図９
2019213571.tif 000002
【特許請求の範囲】
【請求項１】
長手方向と幅方向とを有し、
前記長手方向の中央部において、端部よりも幅の狭い幅狭部を有する吸収性コアを備え、
前記長手方向における前記吸収性コアの中央の幅は、１５ｍｍ以上４５ｍｍ以下であり、
包装状態において、前記幅方向に沿う折り線により二つ折りされる低体重児用の使い捨ておむつであって、
二つ折りされている前記使い捨ておむつを、前記長手方向に展開かつ伸長した状態で、肌側面を下にして台の上面に押しつけた後に、前記使い捨ておむつの上に、前記使い捨ておむつの全面を覆う大きさの板を載せ、前記板の上に１ｋｇのおもりを載せて２分間放置した後に、前記おもり及び前記板を取り外し、前記上面の上で自然状態にしたとき、
前記吸収性コアは、前記上面に沿う第１領域と、前記上面から上方に離間している第２領域とを有し、
前記第１領域と前記第２領域との境界となる別の折り線が形成されていること、
を特徴とする低体重児用の使い捨ておむつ。
【請求項２】
請求項１記載の低体重児用の使い捨ておむつであって、
前記長手方向において、前記折り線の両側に前記別の折り線が形成されていること、を特徴とする低体重児用の使い捨ておむつ。
【請求項３】
請求項１又は２に記載の低体重児用の使い捨ておむつであって、
前記折り線を含む領域における吸収性コア２の前記幅方向の剛性は１．１Ｎ以下であること、を特徴とする低体重児用の使い捨ておむつ。
【請求項４】
請求項１から３の何れか１項に記載の低体重児用の使い捨ておむつであって、
前記吸収性コアの密度は０．０１５５ｇ／ｃｍ3未満であること、を特徴とする低体重児用の使い捨ておむつ。
【請求項５】
請求項１から４の何れか１項に記載の低体重児用の使い捨ておむつであって、
前記使い捨ておむつを、前記長手方向に展開かつ伸長した後に、肌側面を下にして台の上面に載せた自然状態において、前記上面に垂直な方向における前記使い捨ておむつの高さは７０ｍｍ未満であること、を特徴とする低体重児用の使い捨ておむつ。
【請求項６】
請求項１から５の何れか１項に記載の低体重児用の使い捨ておむつであって、
二つ折りされている前記使い捨ておむつを、前記長手方向に展開かつ伸長した状態で、肌側面を下にして台の上面に押しつけた後に、前記使い捨ておむつの上に、前記使い捨ておむつの全面を覆う大きさの板を載せ、前記板の上に１ｋｇのおもりを載せて２分間放置した後に、前記おもり及び前記板を取り外し、前記上面の上で自然状態にしたとき、前記上面に垂直な方向における前記使い捨ておむつの高さは６０ｍｍ以下であること、を特徴とする低体重児用の使い捨ておむつ。
【請求項７】
請求項１から６の何れか１項に記載の低体重児用の使い捨ておむつであって、
前記長手方向おいて前記吸収性コアの中央から前記幅狭部の一端までの長さは、前記吸収性コアの前記長手方向の長さの２２％以上の長さであること、を特徴とする低体重児用の使い捨ておむつ。
【請求項８】
請求項７に記載の低体重児用の使い捨ておむつであって、
前記長手方向おいて前記吸収性コアの中央から前記幅狭部の他端までの長さは、前記吸収性コアの前記長手方向の長さの２２％以上の長さであること、を特徴とする低体重児用の使い捨ておむつ。
【請求項９】
請求項１から８の何れか１項に記載の低体重児用の使い捨ておむつであって、
前記幅狭部の前記幅方向の両側端は、前記長手方向に沿う直線部を有すること、を特徴とする低体重児用の使い捨ておむつ。
【請求項１０】
請求項１から９の何れか１項に記載の低体重児用の使い捨ておむつであって、
前記長手方向の一方側の胴回り部から幅方向の両外側に延出する一対のファスニングテープを有し、
前記使い捨ておむつが前記長手方向に展開かつ伸長した状態において、
前記使い捨ておむつの前記長手方向の前記他方側の端から、前記幅狭部の前記長手方向の前記他方側の端までの前記長手方向の長さは、前記使い捨ておむつの前記長手方向の前記一方側の端から、前記ファスニングテープの前記長手方向の他方側の端までの前記長手方向の長さ以上であること、を特徴とする低体重児用の使い捨ておむつ。
【請求項１１】
請求項１から１０の何れか１項に記載の低体重児用の使い捨ておむつであって、
前記幅狭部には、前記吸収性コアが前記幅方向に沿って折れ曲がるように誘導する第１折り誘導部、第２折り誘導部、及び、第３折り誘導部が、前記長手方向に並んで配置されていること、を特徴とする低体重児用の使い捨ておむつ。
【請求項１２】
請求項１１に記載の低体重児用の使い捨ておむつであって、
前記第１折り誘導部は、前記第２折り誘導部よりも前記長手方向の一方側に配置され、
前記第３折り誘導部は、前記第２折り誘導部よりも前記長手方向の他方側に配置され、
前記第１折り誘導部、及び、前記第３折り誘導部の少なくとも一方は、前記幅狭部において、前記吸収性コアの幅が狭くなり始める部位に配置されていること、を特徴とする低体重児用の使い捨ておむつ。
【請求項１３】
請求項１から１２の何れか１項に記載の低体重児用の使い捨ておむつであって、
前記吸収性コアは前記長手方向に対称形状であること、を特徴とする低体重児用の使い捨ておむつ。
【請求項１４】
請求項１から１３の何れか１項に記載の低体重児用の使い捨ておむつであって、
前記使い捨ておむつの前記幅方向の両側部に、一対の立体ギャザー部が配置されており、
前記立体ギャザー部は、前記長手方向に伸縮する立体ギャザー部用弾性部材によって、肌側に起立可能であり、
前記使い捨ておむつが前記長手方向に展開かつ伸長した状態における前記立体ギャザー部用弾性部材の伸縮部の長さよりも、前記幅狭部の前記長手方向の長さの方が長いこと、を特徴とする低体重児用の使い捨ておむつ。
【発明の詳細な説明】
【技術分野】
【０００１】
本発明は、低体重児用の使い捨ておむつに関する。
【背景技術】
【０００２】
低体重で出産された低体重児は、胎内にいたときの姿勢で、うつぶせで過ごすことが多い。また、低体重児に対して、身体に極力触れないことが望ましいとするミニマルハンドリングの考え方がある。特許文献１には、ファスニングテープの一部を切り離すための切断線を有するおむつが開示されている。このようなおむつによれば、交換時に低体重児の身体に極力触れないようにすることができる。
【先行技術文献】
【特許文献】
【０００３】
【特許文献１】特開２０１６−１２００７７号公報
【発明の概要】
【発明が解決しようとする課題】
【０００４】
特許文献１のおむつが備える吸収性コアの形状は、平面視略矩形形状である。低体重児用の幅の狭い吸収性コアであっても、長手方向の中央部において、端部よりも幅の狭い幅狭部を設けるとよい。そうすることで、低体重児が脚を動かしやすくなる。また、低体重児が脚を閉じた時に、剛性の高い吸収性コアで低体重児の肌を圧迫してしまうことを抑制できる。
【０００５】
一方で、吸収性コアに幅狭部を設けると、吸収性コアの側端からおむつの側端までのシート部分の長さが長くなる。そのシート部分が低体重児の脚に接触する程度に、おむつがゆったり装着されてしまうと、そのシート部分が低体重児の脚で挟まれた時に、低体重児の股間部や臀部から吸収性コアが浮いてしまうおそれがある。
【０００６】
そこで、本発明は、低体重児が脚を動かしやすく、かつ、低体重児への吸収性コアのフィット性を向上させた低体重児用の使い捨ておむつを提供することを目的とする。
【課題を解決するための手段】
【０００７】
上記目的を達成するための主たる発明は、長手方向と幅方向とを有し、前記長手方向の中央部において、端部よりも幅の狭い幅狭部を有する吸収性コアを備え、前記長手方向における前記吸収性コアの中央の幅は、１５ｍｍ以上４５ｍｍ以下であり、包装状態において、前記幅方向に沿う折り線により二つ折りされる低体重児用の使い捨ておむつであって、二つ折りされている前記使い捨ておむつを、前記長手方向に展開かつ伸長した状態で、肌側面を下にして台の上面に押しつけた後に、前記使い捨ておむつの上に、前記使い捨ておむつの全面を覆う大きさの板を載せ、前記板の上に１ｋｇのおもりを載せて２分間放置した後に、前記おもり及び前記板を取り外し、前記上面の上で自然状態にしたとき、前記吸収性コアは、前記上面に沿う第１領域と、前記上面から上方に離間している第２領域とを有し、前記第１領域と前記第２領域との境界となる別の折り線が形成されていること、を特徴とする低体重児用の使い捨ておむつである。
本発明の他の特徴については、本明細書及び添付図面の記載により明らかにする。
【発明の効果】
【０００８】
本発明によれば、低体重児が脚を動かしやすく、かつ、低体重児への吸収性コアのフィット性を向上させた低体重児用の使い捨ておむつを提供できる。
【図面の簡単な説明】
【０００９】
【図１】長手方向に展開かつ伸長したおむつ１を肌側から見た平面図である。
【図２】図２Ａは第１胴回り部１Ａの概略断面図であり、図２Ｂは股下部１Ｂの概略断面図である。
【図３】図３Ａから図３Ｃはおむつ１の装着状態の説明図である。
【図４】図４Ａ及び図４Ｂはおむつ１の包装方法の説明図であり、図４Ｃは比較例のおむつ１’の装着状態の説明図である。
【図５】吸収性コア２の平面図である。
【図６】図６Ａ及び図６Ｂは製品長Ｌ１の説明図である。
【図７】図７Ａ及び図７Ｂは見かけ製品長Ｌ２及び見かけ高さＨ２の説明図である。
【図８】図８Ａから図８Ｃは看護師等の行為を模した行為とその後のおむつ１の説明図である。
【図９】図９Ａ及び図９Ｂはおむつ１に形成される別の折り線ＦＬａの説明図である。
【発明を実施するための形態】
【００１０】
本明細書及び添付図面の記載により、少なくとも以下の事項が明らかとなる。
長手方向と幅方向とを有し、前記長手方向の中央部において、端部よりも幅の狭い幅狭部を有する吸収性コアを備え、前記長手方向における前記吸収性コアの中央の幅は、１５ｍｍ以上４５ｍｍ以下であり、包装状態において、前記幅方向に沿う折り線により二つ折りされる低体重児用の使い捨ておむつであって、二つ折りされている前記使い捨ておむつを、前記長手方向に展開かつ伸長した状態で、肌側面を下にして台の上面に押しつけた後に、前記使い捨ておむつの上に、前記使い捨ておむつの全面を覆う大きさの板を載せ、前記板の上に１ｋｇのおもりを載せて２分間放置した後に、前記おもり及び前記板を取り外し、前記上面の上で自然状態にしたとき、前記吸収性コアは、前記上面に沿う第１領域と、前記上面から上方に離間している第２領域とを有し、前記第１領域と前記第２領域との境界となる別の折り線が形成されていること、を特徴とする低体重児用の使い捨ておむつである。
【００１１】
このような低体重児用の使い捨ておむつによれば、吸収性コアの幅狭部により低体重児が脚を動かしやすくなる。また、吸収性コアが長手方向の異なる複数の位置で折れるため、丸みのある臀部に沿って湾曲しやすい。よって、低体重児への吸収性コアのフィット性を向上させることができる。
【００１２】
かかる低体重児用の使い捨ておむつであって、前記長手方向において、前記折り線の両側に前記別の折り線が形成されていること、を特徴とする低体重児用の使い捨ておむつである。
【００１３】
このような低体重児用の使い捨ておむつによれば、吸収性コアの折れ起点が多く、吸収性コアが臀部にさらに沿いやすくなる。
【００１４】
かかる低体重児用の使い捨ておむつであって、前記折り線を含む領域における吸収性コア２の前記幅方向の剛性は、１．１Ｎ以下であること、を特徴とする低体重児用の使い捨ておむつである。
【００１５】
このような低体重児用の使い捨ておむつによれば、低体重児の脚を閉じた時に、吸収性コアで低体重児の肌を圧迫してしまうことを抑制できる。また、包装時の折り線以外の別の折り線が形成されやすい。
【００１６】
かかる使い捨ておむつであって、前記吸収性コアの密度は０．０１５５ｇ／ｃｍ3未満であること。
【００１７】
このような使い捨ておむつによれば、吸収性コアが軟らかく、包装時の折り線以外の別の折り線が形成されやすい。
【００１８】
かかる使い捨ておむつであって、前記使い捨ておむつを、前記長手方向に展開かつ伸長した後に、肌側面を下にして台の上面に載せた自然状態において、前記上面に垂直な方向における前記使い捨ておむつの高さは７０ｍｍ未満であること。
【００１９】
このような使い捨ておむつによれば、包装時の折り線でおむつが二つに折れにくく、低体重児の股間部や臀部に吸収性コアを沿わせつつ、おむつを装着しやすい。よって、低体重児への吸収性コアのフィット性を向上させることができる。
【００２０】
かかる使い捨ておむつであって、二つ折りされている前記使い捨ておむつを、前記長手方向に展開かつ伸長した状態で、肌側面を下にして台の上面に押しつけた後に、前記使い捨ておむつの上に、前記使い捨ておむつの全面を覆う大きさの板を載せ、前記板の上に１ｋｇのおもりを載せて２分間放置した後に、前記おもり及び前記板を取り外し、前記上面の上で自然状態にしたとき、前記上面に垂直な方向における前記使い捨ておむつの高さは６０ｍｍ以下であること。
【００２１】
このような使い捨ておむつによれば、装着前におむつを揉む等の対策を行う看護師等にも、低体重児への吸収性コアのフィット性の良さを認識させることができる。
【００２２】
かかる使い捨ておむつであって、前記長手方向おいて前記吸収性コアの中央から前記幅狭部の一端までの長さは、前記吸収性コアの前記長手方向の長さの２２％以上の長さであること。
【００２３】
このような使い捨ておむつによれば、長手方向に延びた幅狭部によって、低体重児の脚を引き上げやすくなる。
【００２４】
かかる使い捨ておむつであって、前記長手方向おいて前記吸収性コアの中央から前記幅狭部の他端までの長さは、前記吸収性コアの前記長手方向の長さの２２％以上の長さであること。
【００２５】
このような使い捨ておむつによれば、おむつを通常装着する場合にも、前後逆装着する場合にも、長手方向に延びた幅狭部によって、低体重児の脚を引き上げやすくなる。
【００２６】
かかる使い捨ておむつであって、前記幅狭部の前記幅方向の両側端は、前記長手方向に沿う直線部を有すること。
【００２７】
このような使い捨ておむつによれば、長手方向のより広い範囲において、吸収性コアの幅を狭くでき、低体重児の脚を引き上げやすくなる。
【００２８】
かかる使い捨ておむつであって、前記長手方向の一方側の胴回り部から幅方向の両外側に延出する一対のファスニングテープを有し、前記使い捨ておむつが前記長手方向に展開かつ伸長した状態において、前記使い捨ておむつの前記長手方向の前記他方側の端から、前記幅狭部の前記長手方向の前記他方側の端までの前記長手方向の長さは、前記使い捨ておむつの前記長手方向の前記一方側の端から、前記ファスニングテープの前記長手方向の他方側の端までの前記長手方向の長さ以上であること。
【００２９】
このような使い捨ておむつによれば、ファスニングテープのおおよその係止位置を越えて、つまり、低体重児の脚の引き上げ位置を越えて幅狭部が設けられていないため、幅狭部が不要に長くなく、吸収性コアの吸収能力を確保できる。
【００３０】
かかる使い捨ておむつであって、前記幅狭部には、前記吸収性コアが前記幅方向に沿って折れ曲がるように誘導する第１折り誘導部、第２折り誘導部、及び、第３折り誘導部が、前記長手方向に並んで配置されていること。
【００３１】
このような使い捨ておむつによれば、おむつを通常装着する場合にも、前後逆装着する場合にも、胎内にいた時の姿勢を取る低体重児にフィットするように、おむつが立体的に変形する。
【００３２】
かかる使い捨ておむつであって、前記第１折り誘導部は、前記第２折り誘導部よりも前記長手方向の一方側に配置され、前記第３折り誘導部は、前記第２折り誘導部よりも前記長手方向の他方側に配置され、前記第１折り誘導部、及び、前記第３折り誘導部の少なくとも一方は、前記幅狭部において、前記吸収性コアの幅が狭くなり始める部位に配置されていること。
【００３３】
このような使い捨ておむつによれば、低体重児の引き上げた脚の腹側の脚の付け根にて、おむつを折ることができ、低体重児の身体にフィットする。また、長手方向のより広い範囲において、吸収性コアの幅を狭くでき、低体重児の脚を引き上げやすくなる。
【００３４】
かかる使い捨ておむつであって、前記吸収性コアは前記長手方向に対称形状であること。
【００３５】
このような使い捨ておむつによれば、おむつを通常装着することも、前後逆装着することもできる。
【００３６】
かかる使い捨ておむつであって、前記使い捨ておむつの前記幅方向の両側部に、一対の立体ギャザー部が配置されており、前記立体ギャザー部は、前記長手方向に伸縮する立体ギャザー部用弾性部材によって、肌側に起立可能であり、前記使い捨ておむつが前記長手方向に展開かつ伸長した状態における前記立体ギャザー部用弾性部材の伸縮部の長さよりも、前記幅狭部の前記長手方向の長さの方が長いこと。
【００３７】
このような使い捨ておむつによれば、立体ギャザー部用弾性部材を幅狭部に配置でき、立体ギャザー部の起立高さを確保できる。
【００３８】
＝＝＝実施形態＝＝＝
低体重児用の使い捨ておむつとは、３０００グラム以下（特に２５００グラム未満）の乳児を対象としたおむつである。以下、低体重児用の使い捨ておむつとして、ファスニングテープで低体重児に装着するテープ型使い捨ておむつを例に挙げて実施形態を説明する。ただし、低体重児用の使い捨ておむつは、テープ型に限定されず、例えば、ファスニングテープを備えないパッドタイプの使い捨ておむつであってもよい。
【００３９】
＜＜テープ型使い捨ておむつ１の構成＞＞
図１は、長手方向に展開かつ伸長した低体重児用のテープ型使い捨ておむつ１（以下「おむつ」という）を肌側から見た平面図である。図２Ａは、第１胴回り部１Ａの概略断面図であり、図２Ｂは、股下部１Ｂの概略断面図である。
【００４０】
おむつ１は長手方向と幅方向とを有する。また、おむつ１は、第１胴回り部１Ａと、股下部１Ｂと、第２胴回り部１Ｃとを長手方向に並んで有する。図２Ａに示すように、おむつ１を構成する各部材が積層された方向を厚さ方向という。厚さ方向において、着用者に接する側を肌側といい、その反対側を非肌側という。
【００４１】
おむつ１は、排泄液を吸収する吸収性コア２と、吸収性コア２よりも肌側に配置された液透過性のトップシート３と、吸収性コア２よりも非肌側に配置された液不透過性の防漏シート４と、防漏シート４よりも非肌側に配置され、おむつ１の外形形状を成す外装シート５と、トップシート３の幅方向の両側部から幅方向の外側に延出する一対のサイドシート６とを有している。
【００４２】
吸収性コア２として、パルプ繊維等の液体吸収性繊維に高吸収性ポリマー（所謂ＳＡＰ）を含有させたものを所定の形状に成形したものや、親水性のシートにＳＡＰ層を付着させたＳＡＰシートや、液体吸収性繊維をエアレイド法によってシート状に成形したエアレイドシート等を例示できる。吸収性コア２は、液透過性のティッシュペーパーや不織布等のコアラップシート２Ａで被覆されていてもよい。
【００４３】
おむつ１の幅方向の両側部には、一対の立体ギャザー部８、及び、着用者の脚回りに沿うように長手方向に伸縮する一対の脚回り弾性部材１０が配置されている。立体ギャザー部８は、長手方向に伸縮する立体ギャザー部用弾性部材９によって、サイドシート６の一部が肌側に起立する。立体ギャザー部８によって、排泄物が堰き止められる。
【００４４】
脚回り弾性部材１０は、幅方向における立体ギャザー部８の起立起点（サイドシート６をトップシート３に接着する接着剤（不図示）の幅方向内側端）よりも幅方向の外側に配置されている。脚回り弾性部材１０によって、おむつ１は着用者の脚回りにフィットし、排泄物の漏れが抑制される。
【００４５】
立体ギャザー部用弾性部材９、及び、脚回り弾性部材１０として、糸ゴム等の糸状弾性部材を例示できる。但しこれに限らず、伸縮性フィルム等のシート状弾性部材であってもよい。
【００４６】
また、立体ギャザー部用弾性部材９、及び、脚回り弾性部材１０は、それぞれ、長手方向に伸縮性が発現される伸縮部（有効長部分）を有する。立体ギャザー部用弾性部材９、及び、脚回り弾性部材１０のうち、長手方向に伸長した状態でシートに固定された部位が伸縮部となる。図面には伸縮部のみを示す。
【００４７】
また、おむつ１は、第１胴回り部１Ａ（長手方向の一方側の胴回り部）から幅方向の両外側に延出する一対のファスニングテープ７を有する。ファスニングテープ７は、テープ基材７Ａと、フック材７Ｂとを有する。テープ基材７Ａは幅方向に長い略長方形状を成す。フック材７Ｂは例えば面ファスナーの雄部材であり、テープ基材７Ａの肌側面に設けられている。
【００４８】
おむつ１の装着時、展開状態のおむつ１は着用者にあてがわれつつ長手方向の略中央で２つ折りされる。次に、第１胴回り部１Ａの幅方向の両側部が内側に折り返される。最後に、ファスニングテープ７のフック材７Ｂが、第２胴回り部１Ｃの非肌側面に係止される。
【００４９】
また、おむつ１は低体重児用である。そのため、おむつ１を長手方向に展開かつ伸長した状態における、おむつ１の長手方向の長さ（製品長Ｌ１）は１７５ｍｍ〜３３０ｍｍ程度にするとよい。詳しくは、体重２５００ｇ未満用の製品長Ｌ１を３１０ｍｍ、体重１５００ｇ未満用の製品長Ｌ１を２７０ｍｍ、体重１０００ｇ未満用の製品長Ｌ１を２３０ｍｍ程度にするとよい。
【００５０】
また、おむつ１のウェスト寸法は１６０〜２９５ｍｍ程度にするとよい。詳しくは、体重２５００ｇ未満用のウェスト寸法を２７３．５ｍｍ、体重１５００ｇ未満用のウェスト寸法を２２０ｍｍ程度にするとよい。ウェスト寸法は、一方のファスニングテープ７の幅方向の先端を、他方のファスニングテープ７が有するフック材７Ｂの幅方向の根本側の端に合わせた状態で、製品を幅方向に皺なく伸長させた状態での寸法である。
【００５１】
＜＜おむつ１の前後逆装着＞＞
図３Ａから図３Ｃは、おむつ１の装着状態の説明図である。低体重児の中でも特に２５００グラム未満で出産された低体重児は、胎内にいた時の姿勢で、うつぶせで過ごすことが望ましいとする考え方がある。胎内にいた時の姿勢とは、図３Ａに示すようにＣ字状に背中が丸まるとともに、図３Ｃに示すように脚がＭ字に開脚しつつ、両膝が腹部に付く位に引き付けられた状態である。以下、このような姿勢を「屈曲したうつぶせ姿勢」ともいう。
【００５２】
また、低体重児の身体に極力触れないことが望ましいとするミニマルハンドリングの考え方がある。
【００５３】
よって、おむつ１の交換時に、低体重児を仰向けにせずに、うつぶせの低体重児の脚の間におむつ１を通し、うつぶせのままの低体重児におむつ１を交換することがある。そのため、図３Ａに示すように、ファスニングテープ７が設けられた第１胴回り部１Ａが背側を覆うように装着される通常の装着だけでなく、図３Ｂに示すように、第１胴回り部１Ａが腹側を覆うように装着される前後逆装着が行われることがある。前後逆装着の場合、うつぶせの低体重児の腹部の下に手を入れて、ファスニングテープ７の係止や取り外しを行う必要がなくなる。
【００５４】
また、ファスニングテープ７が固定されている第１胴回り部１Ａの一部を切り取るための切り取り線１１がおむつ１に設けられているとよい。そうすることで、低体重児からのおむつ１の取り外しが容易となる。
【００５５】
＜＜低体重児用のおむつ１の特徴＞＞
図４Ａ及び図４Ｂは、おむつ１の包装方法の説明図である。図４Ｃは、比較例のおむつ１’の装着状態の説明図である。図５は、吸収性コア２の平面図である。図６Ａ及び図６Ｂは、製品長Ｌ１の説明図である。図７Ａ及び図７Ｂは、見かけ製品長Ｌ２及び見かけ高さＨ２の説明図である。図６Ａ及び図７Ａは測定時のおむつ１の概略斜視図であり、図６Ｂ及び図７Ｂは測定時のおむつ１の概略断面図である。
【００５６】
おむつ１は、包装状態において、幅方向に沿う折り線ＦＬにより二つ折りされている。具体的には、図４Ａに示すように、おむつ１の幅方向の両側部が幅方向の内側に折られた後に、図４Ｂに示すように、おむつ１の長手方向中央の折り線ＦＬにより２つ折りされた状態で包装されている。
【００５７】
ここで、おむつ１の「製品長Ｌ１」、「見かけ製品長Ｌ２」、「見かけ高さＨ２」を定義する。
「製品長Ｌ１」とは、二つ折りされているおむつ１を、長手方向に展開かつ伸長した状態における、おむつ１の長手方向の長さＬ１である（図１、図６Ａ、図６Ｂ参照）。
「見かけ製品長Ｌ２」とは、おむつ１を、長手方向に展開かつ伸長した後に、おむつ１の肌側面を下にして台の上面に載せた自然状態における、おむつ１の長手方向の長さＬ２である（図７Ａ、図７Ｂ参照）。
「見かけ高さＨ２」とは、上記の自然状態（図７Ａ、図７Ｂ）において、台の上面に垂直な方向における、おむつ１の高さである。
【００５８】
おむつ１が長手方向に展開した状態とは、包装時の二つ折りが開いた状態である。おむつ１が長手方向に伸長した状態とは、おむつ１に生じていた皺が実質的に視認されなくなる程におむつ１が長手方向に伸長した状態である。詳しくは、おむつ１を構成する各部材（例えばサイドシート６等）の長手方向の寸法が、その部材単体の長手方向の寸法と一致又はそれに近い長さになるまでおむつ１が伸長した状態である。
【００５９】
製品長Ｌ１、見かけ製品長Ｌ２、見かけ高さＨ２の測定方法として、以下の方法を例示できる。まず、パッケージから二つ折りされているおむつ１を取り出す。そして、おむつ１の長手方向の両端１ａ，１ｂの幅方向の中心にそれぞれ印Ｍ１，Ｍ２を付ける。
【００６０】
次に、おむつ１を長手方向に展開かつ伸長した状態で、試験台３０の上面３０ａ（水平面）に固定する（図６Ａ参照）。この時、おむつ１の非肌側面１ｃを上にし、おむつ１の肌側面１ｄを下にする（試験台３０に対向させる）。また、おむつ１の長手方向を試験台３０の上面３０ａのＸ方向に合わせる。この状態で、おむつ１の長手方向の一端１ａ（印Ｍ１）から他端１ｂ（印Ｍ２）までのＸ方向の長さ（おむつ１の長手方向の長さ）を測定する。測定した長さを「製品長Ｌ１」とする。
【００６１】
次に、上記の状態から長手方向の伸長状態を解放し、おむつ１を自然状態にする（図７Ａ参照）。おむつ１は立体ギャザー部用弾性部材９及び脚回り弾性部材１０を有する。また、おむつ１は包装時の折り線ＦＬを有する。そのため、おむつ１の自然状態において、両弾性部材９，１０が収縮し、おむつ１の長手方向の中央部が山のように盛り上がる。この状態で、おむつ１の長手方向の一端１ａ（印Ｍ１）から他端１ｂ（印Ｍ２）までのＸ方向の長さ（おむつ１の長手方向の長さ）を測定する。測定した長さを「見かけ製品長Ｌ２」とする。また、試験台３０の上面３０ａに垂直な方向において、上面３０ａからおむつ１の頂点１ｅまでの長さを「見かけ高さＨ２」とする。
【００６２】
製品長Ｌ１に比べて見かけ製品長Ｌ２が小さく、見かけ製品長Ｌ２を製品長Ｌ１で除した値（Ｌ２／Ｌ１）が小さくなるということは、おむつ１の長手方向の中央部の山の高さ（見かけ高さＨ２）が高くなるということである。つまり、おむつ１が自然状態において、二つに折れやすいということである。
【００６３】
逆に、見かけ製品長Ｌ２を製品長Ｌ１で除した値（Ｌ２／Ｌ１）が大きくなるということは、おむつ１の長手方向の中央部の山の高さ（見かけ高さＨ２）が低くなり、おむつ１が長手方向に展開した状態が維持されやすいということである。
【００６４】
ここで、本実施形態のおむつ１の吸収性コア２の形状について説明する。図５に示すように、吸収性コア２は、長手方向の中央部において、端部よりも幅の狭い幅狭部２Ａを有する。さらに、長手方向における吸収性コア２の中央ＣＬ（吸収性コア２を長手方向に２等分する中央ＣＬ）の幅Ｗ１は１５ｍｍ以上４５ｍｍ以下とする。
【００６５】
なお、本実施形態の吸収性コア２の場合、長手方向の中央ＣＬに一対の切欠き部２２ｂ（詳細は後述）が配置されている。よって、一対の切欠き部２２ｂの頂点間の幅方向の長さＷ１が１５ｍｍ以上４５ｍｍ以下となっている。さらに、切欠き部２２ｂ近傍の吸収性コア２の幅Ｗ２も１５ｍｍ以上４５ｍｍ以下となっている。
【００６６】
吸収性コア２の長手方向の中央ＣＬの幅Ｗ１（Ｗ２）を１５ｍｍ以上にすることで、吸収性コア２の吸収能力を確保でき、尿漏れを防止できる。一方、吸収性コア２に幅狭部２Ａを設け、吸収性コア２の長手方向の中央ＣＬの幅Ｗ１（Ｗ２）を４５ｍｍ以下にすることで、低体重児の股間部に当てられる吸収性コア２の幅が狭くなる。よって、低体重児が脚を動かしやすくなる。また、低体重児が脚を閉じた時、剛性の高い吸収性コア２で低体重児の肌を圧迫してしまうことを抑制できる。
【００６７】
しかし、吸収性コア２に幅狭部２Ａを設けると、図１に示すように、幅方向における吸収性コア２の側端からおむつ１の側端までの脚回りのシート部分（バックシート５やサイドシート６等）の長さＷ３が長くなる。脚回りのシート部分の長さＷ３が長いことで、立体ギャザー部８の高さを確保できる。しかし、脚回りのシート部分が低体重児の脚に接触する程度におむつ１がゆったり装着されてしまうと、脚回りのシート部分が低体重児の脚で挟まれた時に、低体重児の股間部や臀部から吸収性コア２が浮いてしまうおそれがある。
【００６８】
そのため、前述の見かけ製品長Ｌ２を製品長Ｌ１で除した値（Ｌ２／Ｌ１）を大きくするとよい。仮に、見かけ製品長Ｌ２を製品長Ｌ１で除した値（Ｌ２／Ｌ１）を小さくし、包装時の折り線ＦＬでおむつ１が二つに折れやすいと、低体重児から吸収性コア２が浮いた状態でおむつが装着されやすくなるからである。
【００６９】
なぜなら、低体重児におむつを装着する看護士等が、低体重児の下におむつを敷くか、うつぶせの低体重児の脚の間におむつを通して、手を離した後に、おむつがパタンと二つに折れてしまうからである。そうすると、低体重児の股間部や臀部に吸収性コア２を沿わせにくく、図４Ｃのように包装時の折り線ＦＬでおむつ１’が二つに折れた状態で装着されてしまう。つまり、低体重児から吸収性コア２が浮いた状態で装着されてしまう。
【００７０】
【表１】
2019213571.tif 000003
【００７１】
表１は、見かけ製品長Ｌ２を製品長Ｌ１で除した値（Ｌ２／Ｌ１）を変化させて、低体重児への吸収性コア２のフィット性を評価した結果である。
【００７２】
５種類のサンプル１〜５を試作した。各サンプル１〜５の製品長Ｌ１及び見かけ製品長Ｌ２を測定し、見かけ製品長Ｌ２を製品長Ｌ１で除した値（Ｌ２／Ｌ１）を算出した。また、被験者が、低体重児を模した人形に対して、各サンプル１〜５を実際に装着し、フィット性の評価を行った。
【００７３】
サンプル１〜５の仕様は次の通りである。立体ギャザー部用弾性部材９の伸長倍率は、サンプル１が１．９９倍、サンプル２が１．８５倍、サンプル３が１．５５倍、サンプル４が１．４６倍であり、サンプル５が立体ギャザー部用弾性部材９を有さないものとした。なお、伸長倍率とは、弾性部材の自然長を１としたときの伸び度合いであり、弾性部材の伸縮の強さを表す。また、長手方向における吸収性コアの剛性は、サンプル１〜３が高く（硬く）、サンプル４〜５が低い（軟らかい）ものとした。また、サンプル１〜４は脚回り弾性部材１０を有し、サンプル５は脚回り弾性部材１０を有さないものとした。製品長Ｌ１は、サンプル１〜３が２４０ｍｍ、サンプル４〜５が２３０ｍｍとした。
【００７４】
フィット性の評価は、各サンプル１〜５を装着した人形を、被験者が、目視により観察したり、サンプルの上から人形の臀部を触れたりして行った。被験者は、「人形からの吸収性コア２の浮きが小さく、フィット性が良い」と感じたサンプルを「○」と評価し、「人形からの吸収性コア２の浮きが大きく、フィット性が良くない」と感じたサンプルを「×」と評価した。
【００７５】
表１の結果から、見かけ製品長Ｌ２を製品長Ｌ１で除した値が０．５２及び０．６９であるサンプル１〜２では、低体重児への吸収性コア２のフィット性が良くないことが分かった。一方、見かけ製品長Ｌ２を製品長Ｌ１で除した値が０．７２、０．７９及び１であるサンプル３〜５では、低体重児への吸収性コア２のフィット性が良いことが分かった。
【００７６】
そこで、低体重児用の本実施形態のおむつ１では、見かけ製品長Ｌ２を製品長Ｌ１で除した値を０．７以上１以下とする（０．７≦Ｌ２／Ｌ１≦１）。
【００７７】
そうすることで、包装時の折り線ＦＬでおむつ１が二つに折れにくく、おむつ１が長手方向に展開した状態が維持されやすい。よって、おむつ１の装着時に、看護師等が、低体重児の下におむつ１を敷くか、うつぶせの低体重児の脚の間におむつ１を通して、手を離した後も、おむつ１が長手方向に展開した状態となりやすい。そのため、低体重児の股間部や臀部に吸収性コア２を沿わせつつ、おむつ１を装着しやすくなる。よって、脚回りのシート部分の長さＷ３（図１参照）が長くとも、低体重児の股間部や臀部から吸収性コア２の浮きを抑制でき、低体重児への吸収性コア２のフィット性を向上させることができる。
【００７８】
このように吸収性コア２の浮きを抑制することで、排泄尿が低体重児の肌を伝うことなく吸収性コア２に吸収される。よって、排泄尿により低体重児の肌を刺激してしまうことを抑制できる。
【００７９】
また、低体重児特有の屈曲したうつぶせ姿勢は、おむつ１の外から推測される低体重児の臀部の位置に、低体重児の脚のかかとの位置が合わされる。そのため、図４Ｃに示すように、低体重児の臀部から吸収性コア２が浮いていると、低体重児の脚の引き上げが不十分となる。ゆえに、吸収性コア２の浮きを抑制することで、適切な位置まで低体重児の脚を引き上ることができる。
【００８０】
また、おむつ１が長手方向に展開した状態が維持されやすいということで、おむつ１の装着時に、うつぶせの低体重児の脚の間にも、スムーズにおむつ１を通すことができ、装着性がよい。また、看護師等が、低体重児の下におむつ１を敷くか、うつぶせの低体重児の脚の間におむつ１を通して、手を離した後に、おむつ１がパタンと二つに折れにくい。よって、二つに折れるおむつ１で低体重児の肌を刺激してしまうことを防止できる。
【００８１】
【表２】
2019213571.tif 000004
【００８２】
表２は、見かけ高さＨ２を変化させて、低体重児への吸収性コア２のフィット性を評価した結果である。４種類のサンプル６〜９を試作し、見かけ高さＨ２を測定した。そして、被験者が、低体重児を模した人形に対して、各サンプル６〜９を実際に装着し、フィット性の評価を行った。
【００８３】
サンプル６〜９の仕様は次の通りである。立体ギャザー部用弾性部材９の伸長倍率は、サンプル６が１．９９倍、サンプル７が２．１７倍、サンプル８が２．１０倍、サンプル９が１．４６倍とした。また、長手方向における吸収性コア２の剛性は、サンプル６〜７が高く（硬く）、サンプル８〜９が低い（軟らかい）ものとした。製品長Ｌ１は、サンプル６，８が２４０ｍｍ、サンプル７が１７５ｍｍｍ、サンプル９が２３０ｍｍとした。また、全サンプル６〜９が脚回り弾性部材１０を有するものとした。
【００８４】
フィット性の評価は表１の評価方法と同じである。すなわち、各サンプル６〜９を装着した人形を、被験者が、目視により観察したり、サンプルの上から人形の臀部を触れたりして、二段階で評価した。
【００８５】
表２の結果から、見かけ高さＨ２が８１．７ｍｍ及び７０ｍｍであるサンプル６〜７では、低体重児への吸収性コア２のフィット性が良くないことが分かった。一方、見かけ高さＨ２が５１ｍｍ及び４５ｍｍであるサンプル８〜９では、低体重児への吸収性コア２のフィット性が良いことが分かった。
【００８６】
そこで、低体重児用のおむつ１では、見かけ高さＨ２を７０ｍｍ未満とするとよい（Ｈ２＜７０ｍｍ）。見かけ高さＨ２が低いということは、包装時の折り線ＦＬでおむつ１が二つに折れにくく、おむつ１の装着時に、低体重児の股間部や臀部に吸収性コア２を沿わせつつ、おむつ１を装着しやすくなる。よって、低体重児への吸収性コア２のフィット性を向上させることができる。
【００８７】
また、低体重児用のおむつ１では、立体ギャザー部用弾性部材９の伸長倍率を、脚回り弾性部材１０の伸長倍率よりも小さくするとよい。
【００８８】
おむつ１は自然状態において、両弾性部材９，１０の収縮により、肌側面を内側にして湾曲する。脚回り弾性部材１０に比べて、幅方向の内側に位置する立体ギャザー部用弾性部材９の方が、おむつ１が湾曲する変形への影響が大きい。そのため、上記の伸長倍率にすることで、おむつ１の湾曲を抑えられ、包装時の折り線ＦＬでおむつ１が二つに折れにくくなる。
【００８９】
また、吸収性コア２の長手方向の剛性が高く、立体ギャザー部用弾性部材９の伸長倍率が高いと、図７Ａの状態にしたときに、おむつ１が包装時の折れ線ＦＬで鋭角に折れて立ち上がる程に、見かけ高さＨ２が高くなってしまう。そのため、表１及び表２の結果にも示すように、吸収性コア２の長手方向の剛性を低くして、吸収性コア２を軟らかくしつつ、立体ギャザー部用弾性部材９の伸長倍率を低くするとよい。そうすることで、見かけ製品長Ｌ２を製品長Ｌ１で除した値（Ｌ２／Ｌ１）を大きくし、見かけ高さＨ２を小さくでき、おむつ１が二つに折れにくくなる。
【００９０】
具体的には、立体ギャザー部用弾性部材９の伸長倍率を１．３倍以上２．１倍以下に設定するとよい。伸長倍率を２．１倍以下と低くすることで、おむつ１が二つに折れにくくなる。一方、伸長倍率を１．３倍以上にすることで、立体ギャザー部８を起立させることができ、排泄物の漏れを抑制できる。
【００９１】
また、伸長倍率を２．１倍以下にすることで、立体ギャザー部８の起立を適度に抑えられる。そうすることで、立体ギャザー部８が低体重児に接触する程にゆったりとおむつ１が装着されてしまっても、低体重児から吸収性コア２の浮きを抑えることができる。
【００９２】
弾性部材９，１０の伸長倍率の測定は周知の方法で行えばよい。例えば、自然状態のおむつ１において、測定対象の弾性部材の伸縮部（伸長状態でシートに固定された部位）の長手方向の長さＨ０を測定する。次に、おむつ１に生じていた皺が視認出来なくなる程におむつ１を長手方向に伸長させた状態において、弾性部材の伸縮部の長手方向の長さＨ１を測定する。そして、長さＨ１を長さＨ０で除した値を伸長倍率とする（伸長倍率＝Ｈ１／Ｈ０）。
【００９３】
＜＜包装時の折り線ＦＬの緩和＞＞
図８Ａから図８Ｃは、看護師等の行為を模した行為とその後のおむつ１の説明図である。図８Ａ及び図８Ｂはおむつ１の概略斜視図であり、図８Ｃはおむつ１の概略断面図である。図９Ａ及び図９Ｂは、おむつ１に形成される別の折り線ＦＬａの説明図であり、おむつ１の概略断面図である。
【００９４】
前述したように、包装時の折り線ＦＬでおむつ１が二つに折れやすい場合、低体重児から吸収性コア２が浮きやすい。その他、包装時の折り線ＦＬの折り癖が強い場合にも、低体重児から吸収性コア２が浮きやすい。折り癖が強いと、図４Ｃの比較例のおむつ１’のように、おむつ１の折り線ＦＬ部分が鋭角に折れて外側に突出してしまう。そのため、丸みのある臀部に吸収性コア２が沿いにくく、浮いてしまう。
【００９５】
ただし、病院等では、看護師等が、低体重児用のおむつ１をパッケージから取り出した後に、おむつ１を長手方向に展開して、ごみの付着を確認することがある。また、おむつ１が柔らかくなるように、看護師等が装着前のおむつ１を手で揉むことがある。この時、包装時の折り線ＦＬの折り癖が緩和される。
【００９６】
さらに、本実施形態のおむつ１では、看護師等がおむつ１を揉む等の行為を行った場合に、包装時の折り線ＦＬ以外の別の折り線ＦＬａがおむつ１に形成されるようにする。
【００９７】
看護師等の行為を模して、おむつ１を以下にするとよい。まず、パッケージから取り出した二つ折りされているおむつ１を、図８Ａに示すように、長手方向に展開かつ伸長した状態で、試験台３０の上面３０ａに押しつける。この時、おむつ１の非肌側面１ｃを上にし、肌側面１ｄを下にする。そして、おむつ１の上に、おむつ１の平面全面を覆う大きさの板３１を載せ、板３１の上に１ｋｇのおもり３２を載せて２分間放置する。その後、おもり３２及び板３１を取り外し、試験台３０の上面３０ａの上でおむつ１を自然状態にする（図８Ｂ及び図８Ｃ）。
【００９８】
その自然状態において、吸収性コア２は、図９Ａに示すように、試験台３０の上面３０ａに沿う第１領域Ｓ１と、試験台３０の上面３０ａから上方に離間している第２領域Ｓ２とを有するものとする。そして、おむつ１には、第１領域Ｓ１と第２領域Ｓ２との境界となる別の折り線ＦＬａが形成されるものとする。別の折り線ＦＬａは、包装時の折り線ＦＬと同様に、幅方向に沿って吸収性コア２を折る折り線である。
【００９９】
なお、吸収性コア２が試験台３０の上面３０ａに沿うとは、トップシート３等を介して吸収性コア２が試験台３０の上面３０ａに接触しているということである。よって、おむつが包装時の折り線ＦＬで鋭角に折れて立ち上がる場合、つまり、吸収性コア２が存在する領域と、それよりも長手方向外側のシート部分３，４，５との境界にのみ別の折り線が形成される場合は、含まれないものとする。
【０１００】
包装時の折り線ＦＬ及び別の折り線ＦＬａが形成されたおむつ１を低体重児に装着することで、複数の折り線ＦＬ，ＦＬａにて吸収性コア２が幅方向に沿って折れる。つまり、吸収性コア２が長手方向の異なる複数の位置で折れる。そのため、図４Ｃの比較例のおむつ１’のように包装時の折り線ＦＬ部分のみが突出してしまうことを防止でき、吸収性コア２が丸みのある臀部に沿うように湾曲する。よって、低体重児への吸収性コア２のフィット性を向上させることができる。
【０１０１】
吸収性コア２のフィット性を向上させることで、排泄尿が低体重児の肌を伝うことなく、低体重児の肌を刺激してしまうことを抑制できる。また、低体重児特有の姿勢にする際も、低体重児の正しい臀部の位置に、脚のかかとの位置を合わせられ、適切な位置まで脚を引き上げられる。
【０１０２】
以上をまとめると、本実施形態のおむつ１では、吸収性コア２が幅狭部２Ａを有し、脚回りのシート部分の長さＷ３（図１参照）が長く、低体重児が脚を閉じた時に吸収性コア２が浮くおそれがある。しかし、おむつ１に別の折り線ＦＬａが形成されるため、低体重児の臀部に吸収性コア２が沿いやすく、低体重児からの吸収性コア２の浮きを抑制できる。
【０１０３】
看護士等の行為を模した行為（図８Ａ）の後のおむつ１において、図９Ａに示すように、包装時の折り線ＦＬで折れた山の両側にそれぞれ別の折り線ＦＬａが形成されているとよい。その他、図９Ｂに示すように、包装時の折り線ＦＬで折れた山が片側に傾き、山が傾いた側とは反対側の吸収性コア２は試験台３０の上面３０ａから上方に離間し、山が傾いた側にのみ別の折り線ＦＬａが形成されていてもよい。
【０１０４】
ただし、図９Ａに示すように、別の折り線ＦＬａが２か所に形成される方が好ましい。吸収性コア２の折れ起点が多いことで、吸収性コア２が丸みのある臀部にさらに沿いやすくなり、低体重児への吸収性コア２のフィット性が向上する。
【０１０５】
また、おむつ１に別の折り線ＦＬａが形成されるように、吸収性コア２の剛性を低くし、吸収性コア２を軟らかいものにするとよい。具体的には、吸収性コア２の長手方向や幅方向の剛性を１．１Ｎ以下にするとよい。そうすることで、おむつ１に別の折り線ＦＬａが形成されやすくなる。
【０１０６】
【表３】
2019213571.tif 000005
【０１０７】
表３は、おむつ１の幅方向の剛性を変化させて、低体重児の脚の閉じやすさを評価した結果である。４種類のサンプル１０〜１３を試作し、おむつ１の長手方向の中央部、すなわち、包装時の折り線ＦＬを跨ぐ領域の幅方向の剛性を測定した。そして、被験者が、低体重児を模した人形に対して、各サンプル１０〜１３を実際に装着し、人形の脚を閉じた時の閉じやすさを評価した。
【０１０８】
サンプル１０〜１３の仕様は次の通りである。サンプル１０の吸収性コアはエアレイドシートを２層に重ねたものであり、幅が２５ｍｍであった。サンプル１１の吸収性コアはエアレイドシートを２層に重ねたものであり、幅が４０ｍｍであった。サンプル１２の吸収性コアは１層のエアレイドシートであり、幅が３５ｍｍであった。サンプル１３の吸収性コアはパルプ繊維を積層したものであり、幅が３５ｍｍであった。
【０１０９】
被験者は脚の閉じやすさについて３段階で評価した。具体的には、「人形の脚を閉じにくく、おむつから人形に強い力が掛かっている」と感じたサンプルを「×」と評価し、「人形の脚を閉じやすく、おむつから人形に強い力が掛かっていない」と感じたサンプルを「○」と評価し、「人形の脚をとても閉じやすく、おむつから人形にほとんど力が掛かっていない」と感じたサンプルを「◎」と評価した。
【０１１０】
表３の結果から、幅方向の剛性が１．１４５Ｎ及び１．１０３Ｎであるサンプル１０〜１１では、人形の脚を閉じにくいことが分かった。一方、幅方向の剛性が０．８６１Ｎであるサンプル１２では、人形の脚を閉じやすいことが分かった。また、幅方向の剛性が０．２９８Ｎであるサンプル１３では、人形の脚をとても閉じやすいことが分かった。
【０１１１】
そこで、包装時の折り線ＦＬを含む領域における吸収性コア２の幅方向の剛性を１．１Ｎ以下にするとよい。そうすることで、おむつ１を装着した低体重児の脚を閉じた時に、剛性の高い吸収性コア２で低体重児の肌を圧迫してしまうことを抑制できる。それと同時に、剛性の低い吸収性コア２を備えるおむつ１には、包装時の折り線ＦＬ以外の別の折り線ＦＬａが形成されやすくなる。よって、吸収性コア２が丸みのある臀部にさらに沿いやすくなり、低体重児への吸収性コア２のフィット性が向上する。
【０１１２】
吸収性コア２の剛性の測定は周知の方法で行えばよく、以下の方法を例示できる。まず、長手方向に展開かつ伸長した状態のおむつ１を、幅方向における吸収性コア２の側端で折る。そして、試験台から吸収性コア２の側端部を延出させる。また、デジタルフォースゲージの端子が、吸収性コア２の側端の長手方向の中央部（つまり包装時の折り線ＦＬを跨ぐ領域）に接触するようにセットする。そして、デジタルフォースゲージの端子を、おむつ１の幅方向内側に５ｍｍ程度移動させる。端子が吸収性コア２を押し込んだ際の最大値（圧縮力）を、吸収性コア２の幅方向の剛性値とする。
【０１１３】
また、吸収性コア２の密度を０．０１５５ｇ／ｃｍ3未満にするとよい。そうすることで、吸収性コア２が軟らかくなる。よって、看護師等がおむつ１を揉むことで、おむつ１（吸収性コア２）に別の折り線ＦＬａが形成されやすくなり、吸収性コア２が丸みのある臀部に沿いやすくなる。
【０１１４】
特に、吸収性コア２の長手方向の中央ＣＬの密度、つまり、包装時の折り線ＦＬが形成される吸収性コア２の部位の密度を０．０１５５ｇ／ｃｍ3未満にするとよい。そうすることで、包装時の折り線ＦＬの折り癖が吸収性コア２に付きにくくなる。また、看護師等がおむつ１を揉むことで折り癖が緩和されやすくなる。よって、図４Ｃの比較例のおむつ１’のような包装時の折り線ＦＬ部分の突出を防止でき、吸収性コア２が丸みのある臀部に沿いやすくなる。
【０１１５】
吸収性コア２の密度の測定は周知の方法で行えばよい。例えば、吸収性コア２から測定対象部位を切り出し、坪量（ｇ／ｃｍ2）、及び、厚さ（ｃｍ）を測定する。坪量（ｇ／ｃｍ2）を厚さ（ｃｍ）で除することで密度（ｇ／ｃｍ3）が算出される。厚さの測定は、例えば、ミツトヨ（株）製のダイアルシックネスゲージＩＤ−Ｃ１０１２Ｃ又はそれと同等のものを使用し、接触圧を３ｇｆ／ｃｍ2に設定して対象部位を加圧して測定する方法を例示できる。
【０１１６】
また、詳細は後述するが、吸収性コア２には、吸収性コア２が幅方向に沿って折れ曲がるように誘導する複数の折り誘導部２１ａ〜２１ｃ（一対の切欠き部２２ａ〜２２ｃ）が、長手方向の異なる位置に設けられている。
【０１１７】
そのため、看護師等がおむつ１を揉む等することで、吸収性コア２が折り誘導部２１ａ〜２１ｃで折れやすく、包装時の折り線ＦＬ以外の別の折り線ＦＬａがおむつ１に形成されやすい。よって、吸収性コア２が丸みのある臀部に沿いやすくなる。
【０１１８】
さらに、看護師等がおむつ１を揉む等の行為を行った場合を想定し、前述の表２のサンプル６〜９に対して、上記と同様におむつ１の上におもり３２を載せ、その後の見かけ高さＨ３を測定した。そして、被験者が、低体重児を模した人形に対して、各サンプル６〜９を実際に装着し、フィット性の評価を行った。
【０１１９】
フィット性の評価は、各サンプル６〜９を装着した人形を、被験者が、目視により観察したり、サンプルの上から人形の臀部を触れたりして、二段階で評価した。ただし、おもり３２を載せた後の見かけ高さＨ３の評価（表２のフィット性評価２）は、おむつ１を揉んだ後に装着したことを想定し、被験者は、見かけ高さＨ２の評価（表２のフィット性評価１）よりも厳しく行った。
【０１２０】
表２の結果から、全てのサンプル６〜９において、見かけ高さＨ２よりも、おもり３２を載せた後の見かけ高さＨ３が小さくなった。つまり、包装時の折り線ＦＬの折り癖が緩和されると、おむつ１が二つに折れにくくなることが分かった。
【０１２１】
そして、表２の結果から、見かけ高さＨ３が７３ｍｍ及び６２ｍｍであるサンプル６〜７では、低体重児への吸収性コア２のフィット性が良くないことが分かった。一方、見かけ高さＨ３が４８ｍｍ及び２５ｍｍであるサンプル８〜９では、低体重児への吸収性コア２のフィット性が良いことが分かった。
【０１２２】
そこで、低体重児用のおむつ１では、二つ折りされているおむつ１を、長手方向に展開かつ伸長した状態で、肌側面を下にして台の上面に押しつけ、おむつ１の上に、板３１及びおもり３２を載せて２分間放置した後、自然状態にしたときの見かけ高さＨ３を６０ｍｍ以下にするとよい（Ｈ３≦６０ｍｍ）。
【０１２３】
そうすることで、装着前におむつ１を揉む等の対策を行う看護師等にも、低体重児への吸収性コア２のフィット性が良いことを認識させることができ、おむつ１のフィット性に満足して使用してもらえる。
【０１２４】
＜＜吸収性コア２の形状＞＞
低体重児用のおむつ１は以下の特徴を有することが好ましい。ただし、吸収性コア２は幅狭部２Ａを備えていればよく、以下に示すものに限らない。
【０１２５】
図５に示すように、長手方向おいて吸収性コア２の中央ＣＬから幅狭部２Ａの一端２Ａ１（ファスニングテープ７側とは反対側である非テープ側の端２Ａ１）までの長さＬ５は、吸収性コア２の長手方向の長さＬ４の２２％以上の長さであるとよい（Ｌ５≧Ｌ４×０．２２）。
【０１２６】
さらに、長手方向において、吸収性コア２の中央ＣＬと、吸収性コア２の非テープ側の一端２ｂとの中央ＣＬ２よりも、長手方向の外側まで、幅狭部２Ａが延びているとよい。
【０１２７】
そうすることで、図３Ａに示すように、非テープ側の第２胴回り部１Ｃが腹側を覆うように装着される通常装着の場合に、非テープ側に延びた幅狭部２Ａによって、低体重児の脚を引き上げやすくなる。換言すると、非テープ側に脚を引き上げた低体重児の股間部に、幅狭部２Ａが位置することになる。よって、低体重児の脚を閉じた時に、剛性の高い吸収性コア２で低体重児の肌を圧迫してしまうことを抑制できる。仮に長さＬ５が長さＬ４の２２％未満の長さであると、脚を引き上げた低体重児の股間部に幅狭部２Ａが位置しにくくなってしまう。
【０１２８】
同様に、長手方向おいて吸収性コア２の中央ＣＬから幅狭部２Ａの他端２Ａ２（ファスニングテープ７側であるテープ側の端２Ａ２）までの長さＬ６は、吸収性コア２の長手方向の長さＬ４の２２％以上の長さであるとよい（Ｌ６≧Ｌ４×０．２２）。
【０１２９】
さらに、長手方向において、吸収性コア２の中央ＣＬと、吸収性コア２のテープ側の他端２ｃとの中央ＣＬ３よりも、長手方向の外側まで、幅狭部２Ａが延びているとよい。
【０１３０】
そうすることで、図３Ｂに示すように、テープ側の第１胴回り部１Ａが腹側を覆うように装着される前後逆装着の場合にも、テープ側に延びた幅狭部２Ａによって、低体重児の脚を引き上げやすくなる。換言すると、テープ側に脚を引き上げた低体重児の股間部に、幅狭部２Ａが位置することになる。よって、低体重児の脚を閉じた時に、剛性の高い吸収性コア２で低体重児の肌を圧迫してしまうことを抑制できる。仮に長さＬ６が長さＬ４の２２％未満の長さであると、脚を引き上げた低体重児の股間部に幅狭部２Ａが位置しにくくなってしまう。
【０１３１】
また、図５に示すように、幅狭部２Ａの幅方向の両側端２ａは、長手方向に沿う直線部２Ａ３を有するとよい。この場合、例えば吸収性コア２の側端が幅方向の内側に凸となる円弧形状である場合に比べて、長手方向のより広い範囲において、吸収性コア２の幅を狭くできる。具体的には、吸収性コア２の長手方向の中央ＣＬだけでなく、直線部２Ａ３においても、吸収性コア２の幅を１５ｍｍ以上４５ｍｍ以下にできる。よって、低体重児の脚を引き上げやすくなる。また、低体重児の脚を閉じた時に、吸収性コア２で低体重児の肌を圧迫してしまうことを抑制できる。
【０１３２】
さらに、本実施形態の吸収性コア２では、長手方向の中央ＣＬに対して長手方向の両側に、直線部２Ａ３が設けられている。そのため、おむつ１を通常装着する場合にも、前後逆装着する場合にも、低体重児の脚を引き上げやすくなる。
【０１３３】
また、幅狭部２Ａを長くすることで、排尿により色が変化するインジケーター１２を幅狭部２Ａに収めることができる。幅狭部２Ａではインジケーター１２が反応しやすい。そのため、低体重児の少ない尿量でもインジケーター１２を反応させることができ、おむつ１の交換時期が分かりやすくなる。
【０１３４】
また、幅狭部２Ａでは、幅方向における吸収性コア２の側端からおむつ１の側端までの脚回りのシート部分の長さＷ３が長く（図１参照）、立体ギャザー部８の起立高さを確保できる。そこで、図１及び図５に示すように、おむつ１が長手方向に展開かつ伸長した状態における立体ギャザー部用弾性部材９の伸縮部の長さＬ９よりも、幅狭部２Ａの長手方向の長さＬ１０を長くするよい（Ｌ９＜Ｌ１０）。
【０１３５】
そうすることで、立体ギャザー部用弾性部材９の伸縮部の長い範囲に亘って、幅狭部２Ａを配置でき、より確実に、立体ギャザー部８を起立させることができる。よって、立体ギャザー部８で排泄液を堰き止められる。
【０１３６】
ただし、幅狭部２Ａの長さは、おむつ１が長手方向に展開かつ伸長した状態（図１）において以下にするとよい。長手方向において、おむつ１の非テープ側（他方側）の端１ａから、幅狭部２Ａの非テープ側の端２Ａ１までの長さＬ７は、おむつ１のテープ側（一方側）の端１ｂから、ファスニングテープ７の非テープ側の端７ａまでの長さＬ８以上であるとよい（Ｌ７≧Ｌ８）とよい。
【０１３７】
おむつ１が通常装着された場合、第２胴回り部１Ｃにおけるファスニングテープ７の端７ａのおおよその係止位置は、おむつ１の非テープ側の端１ａから長手方向の中央ＣＬ側に、上記長さＬ８離れた位置ｐ１となる（図１及び図３Ｃ参照）。ファスニングテープ７の係止位置ｐ１よりも長手方向の外側にまで低体重児の脚が引き上げられることはない。よって、幅狭部２Ａの端２Ａ１を位置ｐ１よりも長手方向の中央ＣＬ側に配置するとよい。そうして、幅狭部２Ａを不要に長くしないことで、吸収性コア２の吸収能力を確保できる。
【０１３８】
また、図５に示すように、幅狭部２Ａには、吸収性コア２が幅方向に沿って折れ曲がるように誘導する第１折り誘導部２１ａ、第２折り誘導部２１ｂ、及び、第３折り誘導部２１ｃが、長手方向に並んで配置されている。
【０１３９】
詳しくは、幅狭部２Ａの長手方向の中央部に第２折り誘導部２１ｂが配置されている。第１折り誘導部２１ａは、第２折り誘導部２１ｂよりも長手方向のテープ側（一方側）に配置されている。第３折り誘導部２１ｃは、第２折り誘導部２１ｂよりも長手方向の非テープ側（他方側）に配置されている。
【０１４０】
本実施形態の吸収性コア２では、第１〜第３折り誘導部２１ａ〜２１ｃとして、幅狭部２Ａの幅方向の両側部に、幅方向の内側に凸となる一対の切欠き部２２ａ〜２２ｃが設けられている。一対の切欠き部２２ａ〜２２ｃは、吸収性コア２を幅方向に２等分する不図示の中心線に対して対称な形状を成し、対称に配置されている。なお、切欠き部２２ａ〜２２ｃは、図５に示す山形状に限らず、例えば、長方形状でもよいし、切込み線等でもよい。
【０１４１】
切欠き部２２ａ〜２２ｃでは、周囲の領域に比べて吸収性コア２を構成する部材（液体吸収性繊維等）の坪量（ｇ／ｃｍ2）が低くなっているか、或いは、吸収性コア２を構成する部材が存在していない。よって、一対の切欠き部２２ａ〜２２ｃが設けられた吸収性コア２の部位では、周囲の領域との剛性差により、吸収性コア２が幅方向に沿って折れ曲がりやすくなっている。
【０１４２】
図３Ｃに示すように、脚を引き上げた低体重児の股間部は、おむつ１の長手方向の中央部よりも一方側に偏った部位に当接する。そのため、仰向けで脚を引き上げている低体重児に対して、床に接している臀部から脚が上がり始める位置（Ｆ１）に、おむつ１の折れ起点があるとよい。また、引き上げている脚の腹側の付け根の位置（Ｆ２）にも、おむつ１の折れ起点があるとよい。そうすることで、低体重児の股間部に当接するおむつ１の部位（Ｆ１〜Ｆ２）が底となり、おむつ１が立体的に変形しやすい。よって、脚を引き上げる低体重児におむつ１が沿いやすく、フィット性が向上する。
【０１４３】
おむつ１を通常装着した低体重児の股間部には、第２折り誘導部２１ｂ及び第３折り誘導部２１ｃ間の部位がフィットする。そして、非テープ側に脚を引き上げた低体重児に沿って、第２折り誘導部２１ｂ及び第３折り誘導部２１ｃが折れて、おむつ１が立体的に変形し、低体重児の身体にフィットする。
【０１４４】
同様に、おむつ１を前後逆装着した低体重児の股間部には、第１折り誘導部２１ａ及び第２折り誘導部２１ｂの間の部位がフィットする。そして、テープ側に脚を引き上げた低体重児に沿って、第１折り誘導部２１ａ及び第２折り誘導部２１ｂが折れて、おむつ１が立体的に変形し、低体重児の身体にフィットする。
【０１４５】
このように、吸収性コア２の長手方向の３箇所に折り誘導部２１ａ〜２１ｃを設けることで、おむつ１を通常装着する場合にも前後逆装着する場合にも、低体重児特有の姿勢を取る低体重児の身体にフィットする。
【０１４６】
また、吸収性コア２が複数の折り誘導部２１ａ〜２１ｃを有し、複数の折れ起点を有することで、包装時の折り線ＦＬでのおむつ１の二つ折りを緩和できる。よって、図４Ｃの比較例のおむつ１’のように、おむつ１の包装時の折り線ＦＬ部分が外側に突出してしまうことを防止でき、低体重児の股間部や臀部に沿うように、おむつ１が湾曲しやすくなる。よって、低体重児の股間部や臀部から吸収性コアの浮きをより抑制できる。
【０１４７】
さらに、本実施形態の吸収性コア２では、第１折り誘導部２１ａ及び第３折り誘導部２１ｃが、幅狭部２Ａの長手方向の端に配置されている、つまり、吸収性コア２の幅が狭くなり始める部位に配置されている。そのため、第１折り誘導部２１ａの切欠き部２２ａ及び第３折り誘導部２１ｃの切欠き部２２ｃの一部は、幅狭部２Ａの幅方向の内側に傾斜した外形線２Ａ４によって形成されている。
【０１４８】
そのため、引き上げた脚の腹側の付け根（図３ＣのＦ２）にて、おむつ１を折ることができ、おむつ１が低体重児の身体にフィットする。また、幅狭部２Ａの幅方向の内側に傾斜した外形線２Ａ４の傾斜を急にできる。よって、長手方向のより広い範囲において、吸収性コア２の幅を狭くでき、低体重児の脚を引き上げやすくなる。また、低体重児の脚を閉じた時に、吸収性コア２で低体重児の肌を圧迫してしまうことを抑制できる。
【０１４９】
なお、第１〜第３折り誘導部２１ａ〜２１ｃを切欠き部２２ａ〜２２ｃで形成するに限らない。例えば、製造工程において吸収性コア２を幅方向に沿って折る曲げ加工を施したり、吸収性コア２を構成する部材の坪量を幅方向に沿って低くしたり、吸収性コア２の幅方向の中央部に幅方向に沿ったスリットを形成したりすることで、第１〜第３折り誘導部２１ａ〜２１ｃを形成してもよい。
【０１５０】
以上のように、本実施形態の吸収性コア２は長手方向の中央ＣＬに対して対称形状を成す。そのため、吸収性コア２の長手方向の中央ＣＬに対して長手方向の両側に、折り誘導部（２１ａ，２１ｃ）が設けられていたり、吸収性コア２の直線部２Ａ３が設けられていたりする。したがって、おむつ１を通常装着することも、前後逆装着することもでき、いずれの装着時にも同様の効果が得られる。
【０１５１】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【符号の説明】
【０１５２】
１  おむつ（低体重児用の使い捨ておむつ）、
１Ａ  第１胴回り部、１Ｂ  股下部、１Ｃ  第２胴回り部、
２  吸収性コア、２Ａ  幅狭部、２Ａ３  直線部、
２１ａ  第１折り誘導部、２１ｂ  第２折り誘導部、
２１ｃ  第３折り誘導部、２２ａ〜２２ｃ  切欠き部、
３  トップシート、４  防漏シート、
５  外装シート、６  サイドシート、７  ファスニングテープ、
８  立体ギャザー部、９  立体ギャザー部用弾性部材、
１０  脚回り弾性部材、１１  切り取り線、１２  インジケーター、
３０  試験台（台）、３０ａ  上面、３１  板、３２  おもり、
ＦＬ  折り線、Ｌ１  製品長、Ｌ２  見かけ製品長、
Ｈ２、Ｈ３  見かけ高さ
Ｓ１  第１領域、Ｓ２  第２領域、ＦＬａ  別の折り線
【図１】
2019213571.tif 000006
【図２】
2019213571.tif 000007
【図３】
2019213571.tif 000008
【図４】
2019213571.tif 000009
【図５】
2019213571.tif 000010
【図６】
2019213571.tif 000011
【図７】
2019213571.tif 000012
【図８】
2019213571.tif 000013
【図９】
2019213571.tif 000014